(57)【要約】【課題】本発明は、部品点数を増やすことなく評価試験と通常使用とが可能な電気機器としての携帯電話機１を提供することを目的とする。【解決手段】本発明の携帯電話機１は、バッテリ９０を収容可能なバッテリ収容部９２とバッテリ収容部９２を被覆するカバー部材としてのカバーリッドを有する操作部側筐体２と、操作部側筐体２内に配置され電子部品が実装される回路基板７０と、を備える。そして、回路基板７０は、バッテリ９０を挟んでカバー部材としてのバッテリリッド２５と対向するように配置されると共に、バッテリ収容部９２の底面における全部又は一部を構成する平面部７３ａを有し、平面部７３ａには、試験用コネクタ８２０が実装される実装用端子が形成されていることを特徴とする。【選択図】図１０
2008182599.tif 000002
【特許請求の範囲】
【請求項１】
バッテリを収容可能なバッテリ収容部と前記バッテリ収容部を被覆するカバー部材とを有する筐体と、
前記筐体内に配置され電子部品が実装される回路基板と、を備えた電子機器であって、
前記回路基板は、前記バッテリを挟んで前記カバー部材と対向するように配置されると共に、前記バッテリ収容部の底面における全部又は一部を構成する平面部を有し、
前記平面部には、試験用コネクタを実装するため実装用端子が配設されていることを特徴とする電子機器。
【請求項２】
前記平面部に貼付されるシール部材と、を更に有し、
前記実装用端子は、前記シール部材が前記平面部に貼付されることで前記シール部材により被覆されることを特徴とする請求項１に記載の電子機器。
【請求項３】
前記回路基板には、該回路基板における前記平面部と同じ面に前記バッテリの端子が接続されるバッテリコネクタが実装され、
前記バッテリコネクタは、前記バッテリの端子と接続する充電端子を有すると共に、該充電端子が前記バッテリ収容部における一の側面から露出して配置され、
前記実装用端子は、前記一の側面と反対側の他の側面側に形成されることを特徴とする請求項１又は２に記載の電子機器。
【請求項４】
前記バッテリ収容部は、第１バッテリと、前記第１バッテリより小さい第２バッテリとをそれぞれ収容可能に構成されると共に、前記実装用端子に前記試験用コネクタ端子が実装された状態の前記試験用コネクタ端子と前記第２バッテリとを同時に収容可能であり、
前記実装用端子は、前記バッテリ収容部に前記第１バッテリが収容された場合には該第１バッテリに覆われ、前記バッテリ収容部に前記第２バッテリが収容された場合には該第２バッテリに覆われない位置に形成され、
前記第２バッテリは、前記バッテリ収容部に前記試験用コネクタ端子と同時に収容された状態において、前記試験用コネクタ端子により位置決め保持されることを特徴とする請求項１乃至３の何れか１項に記載の電子機器。
【発明の詳細な説明】
【技術分野】
【０００１】
本発明は、携帯電話機等の電子機器に関する。
【背景技術】
【０００２】
従来、電子機器としての携帯電話機には、動作評価等の試験を行うための試験用端子が配置されている。この試験用端子は、製品化された状態ではケースに覆われて外部に露出しないよう構成される。
【０００３】
しかし、携帯電話機において、試験用端子がケースにより覆われて外部に露出しない構造は、ユ−ザ−が試験用端子に容易に触れることができないという利点はあるが、組み立てた後に試験用端子を用いた評価試験ができないという課題があった。
【０００４】
これに対し、携帯電話機の筐体内に配置される基板上に試験用端子が実装され、筐体ケースに対して脱着可能な内蓋により試験用端子を被覆可能とし、試験時には内蓋を取り外して試験可能となり、製品出荷時には内蓋により被覆される携帯電話機が提案されている（例えば、特許文献１参照）。
【特許文献１】特開平０８−０１９０３３号公報
【発明の開示】
【発明が解決しようとする課題】
【０００５】
ここで、特許文献１に記載された携帯電話機は、試験をしない状態で試験用端子を覆うための内蓋が必要である。このため、該携帯電話機においては、部品点数が増えると共に大型化するという課題があった。
【０００６】
本発明は、回路基板をバッテリ収容部の底部を構成するように配置すると共に、該底部を構成する部分に試験用コネクタ端子が実装される実装用端子を形成することで、部品点数を増やすことなく、評価試験と通常使用とが可能な電気機器を提供することを目的とする。
【課題を解決するための手段】
【０００７】
本発明は、バッテリを収容可能なバッテリ収容部と前記バッテリ収容部を被覆するカバー部材とを有する筐体と、前記筐体内に配置され電子部品が実装される回路基板と、を備えた電子機器であって、前記回路基板は、前記バッテリを挟んで前記カバー部材と対向するように配置されると共に、前記バッテリ収容部の底面における全部又は一部を構成する平面部を有し、前記平面部には、試験用コネクタを実装するための実装用端子が配設されていることを特徴とする。
【０００８】
また、前記平面部に貼付されるシール部材と、を更に有し、前記実装用端子は、前記シール部材が前記平面部に貼付されることで前記シール部材により被覆されることが好ましい。
【０００９】
また、前記回路基板には、該回路基板における前記平面部と同じ面に前記バッテリの端子が接続されるバッテリコネクタが実装され、前記バッテリコネクタは、前記バッテリの端子と接続する充電端子を有すると共に、該充電端子が前記バッテリ収容部における一の側面から露出して配置され、前記実装用端子は、前記一の側面と反対側の他の側面側に形成されることが好ましい。
【００１０】
また、前記バッテリ収容部は、第１バッテリと、前記第１バッテリより小さい第２バッテリとをそれぞれ収容可能に構成されると共に、前記実装用端子に前記試験用コネクタ端子が実装された状態の前記試験用コネクタ端子と前記第２バッテリとを同時に収容可能であり、前記実装用端子は、前記バッテリ収容部に前記第１バッテリが収容された場合には該第１バッテリに覆われ、前記バッテリ収容部に前記第２バッテリが収容された場合には該第２バッテリに覆われない位置に形成され、前記第２バッテリは、前記バッテリ収容部に前記試験用コネクタ端子と同時に収容された状態において、前記試験用コネクタ端子により位置決め保持されることが好ましい。
【発明の効果】
【００１１】
本発明によれば、回路基板をバッテリ収容部の底部を構成するように配置すると共に、該底部を構成する部分に試験用コネクタ端子が実装される実装用端子を形成することで、部品点数を増やすことなく、評価試験と通常使用とが可能な電気機器を提供することができる。
【発明を実施するための最良の形態】
【００１２】
以下、図面を参照して本発明を実施するための最良の形態を説明する。なお、以下、携帯端末装置として携帯電話機について説明するが、本発明はこれに限定されるものではなく、ＰＨＳ（Ｐｅｒｓｏｎａｌ  Ｈａｎｄｙ  ｐｈｏｎｅ  Ｓｙｓｔｅｍ）、ＰＤＡ（Ｐｅｒｓｏｎａｌ  Ｄｉｇｉｔａｌ  Ａｓｓｉｓｔａｎｔ）、ポータブルナビゲーション装置、ノートパソコン等であってもよい。
【００１３】
図１から図４により、携帯端末装置としての携帯電話機１における基本構造を説明する。図１は、携帯端末装置としての携帯電話機１を開いた状態（第１開状態）における正面図を示す。また、図２（Ａ）は、携帯電話機１を開いた状態における左側面図を示し、図２（Ｂ）は、携帯電話機１を開いた状態における右側面図を示す。また、図３は、携帯電話機１を開いた状態における背面図を示す。図４は、携帯電話機１の表示部側筐体３を、連結部４の回動軸Ｙを中心にして所定角度回動した状態の斜視図を示す。
【００１４】
携帯電話機１は、操作部側筐体２と、表示部側筐体３とを備える。操作部側筐体２と表示部側筐体３とは２軸ヒンジ機構を備える連結部４を介して連結され、該携帯電話機１を開状態及び閉状態に変形可能とすると共に、開状態及び閉状態それぞれにおいて表示部側筐体３を表状態と裏状態とに切り替えることができる。
【００１５】
ここで、閉状態とは、両筐体が互いに重なるように配置された状態であり、開状態とは、両筐体が互いに重ならないように配置された状態をいう。そして、開状態における表状態とは、後述する表示部側筐体３における表面３Ａに配置されるディスプレイ３０と、操作部側筐体２における表面２Ａに配置される操作キー群１１とが同じ側を向くように配置された状態（図１参照）であり、開状態における裏状態とは、表示部側筐体３におけるディスプレイ３０と操作部側筐体２における操作キー群１１とが反対側を向くように配置された状態をいう。また、閉状態における表状態とは、表示部側筐体３におけるディスプレイ３０が操作部側筐体２における操作キー群１１に対向するように配置された状態であり、閉状態における裏状態とは、表示部側筐体３におけるディスプレイ３０が操作部側筐体２における操作キー群１１と対向せずに表出した状態である。
【００１６】
操作部側筐体２は、外面がフロントケース２ａとリアケース２ｂにより構成される。この操作部側筐体２は、フロントケース２ａ側に、操作キー群１１と、携帯電話機１の使用者が通話時に発した音声が入力される音声入力部１２とがそれぞれ露出するように構成される。ここで、操作キー群１１は、各種設定や電話帳機能やメール機能等の各種機能を作動させるための機能設定操作キー１３と、電話番号の数字やメール等の文字等を入力するためのテンキー等の入力操作キー１４と、各種操作における決定や上下左右方向のスクロール等を行う決定操作キー１５と、から構成されている。また、音声入力部１２は、操作部側筐体２の長手方向における連結部４側とは反対の外端部側に配置される。つまり、音声入力部１２は、携帯電話機１が開状態において一方の外端部側に配置される。
【００１７】
操作キー群１１を構成する各キーそれぞれには、操作部側筐体２と表示部側筐体３との開閉状態や表裏状態等の変形状態や、起動されているアプリケーションの種類に応じて所定の機能が割り当てられる（キー・アサイン）。携帯電話機１において、操作キー群１１を構成する各キーが使用者により押圧されることで、各キーに割り当てられている機能に応じた動作が実行される。
【００１８】
操作部側筐体２における一方の側面には、図２（Ａ）に示すように、外部機器（例えば、ホスト装置）とデータの送受信を行うためのインターフェース１６と、ヘッドホン／マイク端子１７と、着脱可能な外部メモリのインターフェース１８と、バッテリを充電するための充電端子１９とが設けられている。なお、インターフェース１６、ヘッドホン端子／マイク端子１７及びインターフェース１８は、不使用時において着脱可能な防塵対策用のキャップで覆われている。
【００１９】
操作部側筐体２における他方の側面には、図２（Ｂ）に示すように、一対のサイドキー２０と、撮像時に使用される操作キー２１と、電波の受信角度を調整可能な放送波受信用のアンテナ２２とが配置される。このサイドキー２０には、操作部側筐体２と表示部側筐体３との開閉状態や表裏状態等の変形状態や、起動されているアプリケーションの種類に応じて所定の機能が割り当てられる（キー・アサイン）。ここで、上述と同様に、サイドキー２０が使用者により押圧されることで、携帯電話機１においてサイドキー２０に割り当てられている機能に応じた動作が実行される。
【００２０】
操作部側筐体２のリアケース２ｂには、図３に示すように、被写体を撮像するカメラ部２３と、被写体に光を照射するライト部２４とが露出して配置される。このカメラ部２３とライト部２４とは、操作部側筐体２における連結部４側に配置される。また、操作部側筐体２におけるリアケース２ｂには、バッテリ収容部９２にバッテリ９０を装着するための開口９２ａが形成されると共に、該開口９２ａを塞ぐようにバッテリリッド２５が配置される。
【００２１】
また、操作部側筐体２の上端部と表示部側筐体３の下端部とは、図１から図３に示すように、２軸ヒンジ機構を備える連結部４を介して連結される。連結部４における一方の面（裏面）には、図３に示すように、副操作キー群３３が該携帯電話機１の幅方向（短手方向）において一列に並んで配置される。この副操作キー群３３を構成する各キーそれぞれには、操作部側筐体２と表示部側筐体３との開閉状態や表裏状態等の変形状態や、起動されているアプリケーションの種類に応じて所定の機能が割り当てられる（キー・アサイン）。携帯電話機１において、操作キー群１１を構成する各キーが使用者により押圧されることで、各キーに割り当てられている機能に応じた動作が実行される。
【００２２】
表示部側筐体３は、外面がフロントケース３ａとリアケース３ｂにより構成される。
表示部側筐体３におけるフロントケース３ａには、各種情報を表示するための所定形状のディスプレイ３０と、通話の相手側における音声を出力する音声出力部３１とが露出するように配置される。ここで、音声出力部３１は、表示部側筐体３の長手方向における連結部４とは反対の外端部側に配置される。つまり、音声出力部３１は、携帯電話機１が開状態において他方の端部側に配置される。
【００２３】
また、表示部側筐体３のリアケース３ｂには、各種情報を表示するためのサブディスプレイ３２が露出して配置される。ディスプレイ３０及びサブディスプレイ３２それぞれは、液晶パネルと、この液晶パネルを駆動する駆動回路と、この液晶パネルの背面側から光を照射するバックライト等の光源部とから構成される。
【００２４】
連結部４は、操作部側筐体２と表示部側筐体３とを、開閉軸Ｘを中心にして任意の角度で開閉自在に連結すると共に、回動軸Ｙを中心に任意の角度で回動自在に連結する２軸ヒンジ機構を備える。
【００２５】
連結部４は、一方端４ａ側において図示しない開閉連結部材により操作部側筐体２の上端部と連結されており、他方端４ｂ側において図示しない回動連結部材により表示部側筐体３の下端部と連結されている。
【００２６】
連結部４の一方端４ａには、該連結部４における表面から垂直に突出するように形成される凸形状の開閉部４ｃが形成される。そして、操作部側筐体２の上端部には、この凸形状の開閉部４ｃが挿嵌される凹形状の切り欠き部５が形成される。
【００２７】
この開閉部４ｃの開閉軸Ｘ方向における両側それぞれには、図示しない孔部Ａが形成される。また、操作部側筐体２の切り欠き部５における両内側面には、図示しない孔部Ｂが形成される。そして、凸形状の開閉部４ｃが、凹形状の切り欠き部５に挿嵌された状態において、孔部Ａと孔部Ｂとは互いに近接して対向するよう配置されると共に、孔部Ａと孔部Ｂとの双方に円筒状の開閉連結部材が挿通される。これにより、操作部側筐体２と表示部側筐体３とは、開閉可能に連結される。なお、開閉部４ｃは、操作部側筐体２の上端部に挿嵌される形状であれば良く、特に凸形状に限られず、また、操作部側筐体２の上端部の形状も凹形状に限られない。
【００２８】
また、連結部４の他方端４ｂ側と表示部側筐体３の下端部とは、図示しない回動連結部材により回動自在に連結される。連結部４における表示部側筐体３側の側面には、図示しない孔部Ｃが形成される。また、表示部側筐体３における連結部４側の側面には、図示しない孔部Ｄが形成される。そして、孔部Ｃと孔部Ｄとの双方に回動連結部材が挿通されることで、操作部側筐体２と表示部側筐体３とが回動軸Ｙを中心に回動可能に連結される。つまり、操作部側筐体２と表示部側筐体３とは、表示部側筐体３の表裏状態を切り替え可能に連結される。
【００２９】
携帯電話機１は、上述したように、操作部側筐体２と表示部側筐体３とが連結部４により開閉及び回動可能に連結される。これにより、操作部側筐体２と表示部側筐体３とを、開閉軸Ｘを中心にして開閉させたり、回動軸Ｙを中心にして回動をさせたりすることで携帯電話機１を様々な状態に変形させることができる。
【００３０】
例えば、操作部側筐体２と表示部側筐体３とが互いに重なる状態である閉状態（第１閉状態）の携帯電話機１を、操作部側筐体２及び表示部側筐体３それぞれにおける開閉軸Ｘと反対側の端部が、互いに離間するよう開閉軸Ｘを中心にして開くように変形させることで、操作部側筐体２と表示部側筐体３とが互いに重ならない開状態（第１開状態）にすることができる。
【００３１】
逆に、開状態（第１開状態）の携帯電話機１を、操作部側筐体２及び表示部側筐体３それぞれの開閉軸Ｘと反対側の端部が、互いに近づくよう開閉軸Ｘを中心にして閉じるように変形させることで、閉状態（第１閉状態）にすることができる。
【００３２】
また、開状態（第１開状態）において、図４に示すように、表示部側筐体３を、回動軸Ｙを中心に回動させることができる。更には、表示部側筐体３を更に回動軸Ｙを中心に回転させることで、表示部側筐体３における表裏状態を切り替えることができる。具体的には、表示部側筐体３における表面３Ａに配置されるディスプレイ３０と、操作部側筐体２における表面２Ａに配置される操作キー群１１とが同じ側を向く開状態（第１開状態）から、表示部側筐体３が回動軸Ｙを中心に１８０度回転されて表示部側筐体３における表面３Ａに配置されるディスプレイ３０と、操作部側筐体２における表面２Ａに配置される操作キー群とが反対側を向く開状態（第２開状態）にすることができる。
【００３３】
そして、第２開状態における表示部側筐体３を開閉軸Ｘを中心にして閉じるよう変形させることで、携帯電話機１を閉状態（第２閉状態）にすることができる。つまり、携帯電話機１は、表示部側筐体３におけるディスプレイ３０が、操作部側筐体２における操作キー群１１に対向するよう配置された閉状態（第１閉状態）から、表示部側筐体３におけるディスプレイ３０が、操作部側筐体２に対向せずに表出した状態である閉状態（第２閉状態、ターンクローズ状態）に変形させることができる。
【００３４】
なお、本実施形態においては、連結部４による折り畳み可能な携帯電話機１の説明をしているが、折り畳み式ではなく、操作部側筐体２と表示部側筐体３とを重ね合わせた状態から一方の筐体を一方向にスライドさせるようにしたスライド式や、操作部側筐体２と表示部側筐体３との重ね合せ方向に沿う軸線を中心に一方の筐体を回転させるようにした回転（リボルバ）式や、操作部側筐体２と表示部側筐体３とが一つの筐体に配置され連結部を有さない型式（ストレートタイプ）でもよい。
【００３５】
次いで、図５により、操作部側筐体２及び表示部側筐体３の内部構造について説明する。図５は、操作部側筐体２の分解斜視図を示す。
【００３６】
操作部側筐体２は、図５に示すように、フロントケース２ａと、上述した操作キー群１１を構成するキーシート４０と、キースイッチが配置されるフレキシブルプリント配線基板５０と、シールドケース６０と、基準電位パターン層及び携帯電話機用のＲＦ（Ｒａｄｉｏ  Ｆｒｅｑｕｅｎｃｙ）モジュール等の各種電子部品を備える回路基板７０と、アンテナ部８０と、リアケース２ｂと、を備える。また、バッテリ９０は、リアケース２ｂの外側から装脱可能に収容される。
【００３７】
フロントケース２ａとリアケース２ｂとは、互いの凹状の内側面が向き合うように配置されると共に、互いの外周縁が重なり合うようにして結合される。また、フロントケース２ａとリアケース２ｂとの間には、キーシート４０と、フレキシブルプリント配線基板５０と、シールドケース６０と、回路基板７０と、アンテナ部８０とが、フロントケース２ａ側からこの順番で収納配置される。
【００３８】
回路基板７０における第１の面７２には、図示しない各種電子部品及び基準電位パターン層が形成される。また、回路基板７０における第２の面７３には、各種電子部品が配置される。また、第２の面７３に対向した位置には、図示しないカメラ部２３やライト部２４が連結部４側の端部に偏って配置されると共に、図示しない音声入力部１２が連結部４とは反対側の端部に偏って配置される。なお、カメラ部２３やライト部２４は、リアケース２ｂに所定の形状で穿孔されている穿孔部２ｃを介して外部に露出される。
【００３９】
シールドケース６０は、薄型の直方体における一の広い面が開口した形状を有する金属製の部材である。シールドケース６０は、平板部４２と、平板部４２における一方の面に略垂直に形成されるリブ４４とを有する。リブ４４は、回路基板７０における第１の面７２に実装される各種電子部品のうち最も高さのある電子部品の高さと同等又はそれよりも十分に高くなるよう形成される。なお、シールドケース６０は、金属により形成する以外に、骨格を樹脂により形成し、その表面に導体膜を形成したものでもよい。
【００４０】
ここで、リブ４４は、平板部４２の周縁及び内側に上述した基準電位パターン層に対応するよう形成される。具体的には、基準電位パターン層が形成される第１の面７２と、シールドケース６０におけるリブ４４が形成される面である裏面とが向かい合うようにして配置された場合において、リブ４４の底面が基準電位パターン層上に配置されるよう形成される。
【００４１】
シールドケース６０は、リブ４４（底面）により、回路基板７０における第１の面７２に形成される基準電位パターン層と導通する。これにより、シールドケース６０は、基準電位パターン層と電気的に導通して同じ大きさの電位を有するようになる。また、シールドケース６０は、外部からのノイズが回路基板７０の第１の面７２に配置される不図示の各種電子部品に作用するのを防ぐと共に、第１の面７２に形成される高周波回路等から放出されるノイズを吸収する。ここで、シールドケース６０と回路基板７０との間に配置される図示しない導通部材を配置することで電気的に導通させてもよい。また、シールドケース６０は、後述する各種キーの押圧操作に対する剛性確保のための補強部材としても機能する。
【００４２】
フレキシブルプリント配線基板５０は、フロントケース２ａ側の面に複数のキースイッチ５１、５２、５３を有している。フレキシブルプリント配線基板５０のキースイッチ５１、５２、５３は、椀状に湾曲して立体的に形成された金属板のメタルドームを有する構造になっている。メタルドームは、その椀状形状の頂点が押圧されると、フレキシブルプリント配線基板５０の表面に印刷された不図示の電気回路に形成されるスイッチ端子に接触して電気的に導通する。なお、フレキシブルプリント配線基板５０は、複数の絶縁フィルムの間に配線を挟み込んだものである。
【００４３】
キーシート４０は、シリコンゴム製のシート４１の表面に操作キー群１１が接着剤により貼り付けられて構成される。キーシート４０における操作キー群１１を構成する機能設定操作キー１３、入力操作キー１４及び決定操作キー１５は、フレキシブルプリント配線基板５０におけるキースイッチ５１、５２、５３と対向する位置に配置されると共に、後述するフロントケース２ａに形成されるキー孔４５から露出するように配置される。
【００４４】
フロントケース２ａには、携帯電話機１を折り畳んだ状態で表示部側筐体３のディスプレイ３０と対向する内側面に、キー孔４５が複数形成される。複数のキー孔４５それぞれからは、キーシート４０上に形成される機能設定操作キー１３、入力操作キー１４及び決定操作キー１５の押圧面が露出する。この露出した操作キー群１１を構成する機能設定操作キー１３、入力操作キー１４及び決定操作キー１５の押圧面を押し下げるように押圧することで、対応するキースイッチ５１、５２、５３それぞれにおけるメタルドーム（椀状形状）の頂点が押圧され、スイッチ端子に接触して電気的に導通する。
【００４５】
アンテナ部８０は、基台上に所定形状のアンテナエレメントが配置されることにより構成さる。アンテナ部８０は、携帯電話機１における連結部４側と反対の端部側に配置される。このアンテナ部８０のアンテナエレメントは、帯状の板金により形成される。また、アンテナ部８０は、不図示の給電端子を介して回路基板７０から給電される。これにより、アンテナエレメントは、給電端子を介して回路基板７０から給電されると共に、回路基板７０のＲＦモジュール等と接続される。
【００４６】
バッテリ９０は、リアケース２ｂに形成された開口９２ａを介してバッテリ収容部９２に着脱可能に収容される。バッテリ収容部９２は、リアケース２ｂと回路基板７０における第２の面７３の一部である平面部７３ａとにより形成される。そして、バッテリ９０が収容された状態において、開口９２ａを塞ぐようにカバー部材としてのバッテリリッド２５を配置することで、バッテリ９０の脱落を抑制することができる。この状態において、回路基板７０における第２の面７３の一部である平面部７３ａは、バッテリ９０を挟んでバッテリリッド２５と対向するように配置される。
【００４７】
続けて、図６から図８により、バッテリ収容部９２の構造について詳細に説明する。図６は、回路基板７０が露出された状態におけるバッテリ収容部９２の拡大平面図を示す。図７は、回路基板７０に第１シール８００が貼付された状態におけるバッテリ収容部９２の拡大平面図を示す。図８は、第１シール８００の上に更に第２シール８１０が貼付された状態におけるバッテリ収容部９２の拡大平面図を示す。
【００４８】
図６に示すように、バッテリ収容部９２は、略長方形の開口９２ａと、開口９２ａに連続して厚さ方向に延びるように形成される側面９３と、回路基板７０の一部である平面部７３ａとにより構成される。バッテリ収容部９２は、バッテリ９０を収容可能であると共に、後述する図９に示すようにバッテリ９０が位置決めされるようバッテリ９０の形状に合わせて形成される。
【００４９】
平面部７３ａは、回路基板７０における第２の面７３の一部であり、バッテリ収容部９２の底面を構成する。平面部７３ａには、連結部４側の一の側面である側面９３ａ側に試験用コネクタ８２０を実装するための実装用端子９が配設される。また、平面部７３ａにおける実装用端子９の近傍には、各種試験のための接続端子であるテストポイント１０が複数形成される。
【００５０】
また、回路基板７０における平面部７３ａと同じ面である第２の面７３には、バッテリ９０を充電するためのバッテリコネクタ８５０が実装される。バッテリコネクタ８５０は、バッテリ９０側の端子に接続する充電用端子８５０ａを有すると共に、該充電用端子８５０ａが側面９３ａと対向する他の側面である側面９３ｂから露出するように配置される。充電用端子８５０ａは、バッテリ９０がバッテリ収容部９２に収容された状態においてバッテリ９０側の端子に接続する。
【００５１】
この充電用端子８５０ａは、バネ端子により構成されると共に、側面９３ｂに直交する方向に変形可能に形成される。言い換えると、充電用端子８５０ａは、バッテリ９０側の端子と接続する接続部が側面９３ｂから突出する位置と側面９３ｂの近傍位置とに移動可能に形成される。
【００５２】
次いで、図７及び図８に示すように、平面部７３ａの表面には、平面部７３ａに形成された実装用端子９やテストポイント１０を被覆するように第１シール８００及び第２シール８１０が貼付される。具体的には、図７に示すように、平面部７３ａの表面には、少なくとも実装用端子９を覆うと共に少なくともテストポイント１０を表出させるように第１シール８００が貼付される。そして、図８に示すように、第１シール８００が貼付された平面部７３ａ上に、第２シール８１０が更に貼付される。第２シール８１０は、第１シール８００が貼付された状態で表出された部分を覆うように配置される。
【００５３】
上述のように、平面部７３ａの表面は、第１シール８００及び第２シール８１０に覆われる。つまり、通常使用時においては、バッテリ収容部９２の底面を構成する平面部７３ａは第１シール８００及び第２シール８１０により覆われているので、実装用端子９及びテストポイント１０は露出されない。
【００５４】
続けて、図９から図１１により、バッテリ収容部９２に通常のバッテリ９０が収容された状態、及び試験用バッテリ９１が収容された状態について説明する。図９は、バッテリ９０が収容された状態におけるバッテリ収容部９２の拡大平面図を示す。図１０は、試験用バッテリ９１が収容されると共に、試験用コネクタ８２０が実装された状態におけるバッテリ収容部９２の拡大平面図を示す。図１１は、図１０における携帯電話機１にバッテリリッド２５ａが装着された状態の拡大平面図を示す。
【００５５】
図９及び図１０に示すように、バッテリ収容部９２には、第１バッテリとしてのバッテリ９０と、バッテリ９０よりも小さい第２バッテリとしての試験用バッテリ９１との双方が、それぞれ着脱可能に収容される。図９に示すように、通常時に使用されるバッテリ９０は、バッテリ収容部９２の側面９３に当接するようにして収容される。つまり、バッテリ９０は、実装用端子９を覆うように収容されると共に、バッテリ収容部９２に隙間無く収容される。
【００５６】
図１０に示すように、動作試験時に使用される試験用バッテリ９１は、バッテリ９０よりも小型のバッテリである。具体的には、試験用バッテリ９１は、バッテリ９０よりも長手方向における長さが短いバッテリである。試験用バッテリ９１は、側面９３ａ側に所定空間を開けた状態でバッテリ収容部９２に収容される。言い換えると、試験用バッテリ９１は、側面９３に当接すると共に、側面９３ａからは離間して配置される。
【００５７】
第１シール８００及び第２シール８１０が貼付されていない状態又は剥離された状態において、試験用バッテリ９１０と側面９３ａとの間には、実装用端子９が露出される。そして、フラットケーブル８３０を介して所定の動作確認試験用の装置（例えば、ＩＣＥ（Ｉｎ−Ｃｉｒｃｕｉｔ  Ｅｍｕｌａｔｏｒ））に接続される試験用コネクタ８２０は、この露出した実装用端子９に接続される。言い換えると、回路基板７０における平面部７３aに配設された実装用端子９に試験用コネクタ８２０の下に配設された接続端子が半田付け等より接続され平面部７３aに、試験用コネクタ８２０が実装される。この実装された試験用コネクタ８２０とバッテリコネクタ８５０との間に試験用バッテリコネクタ８５０との間に試験用バッテリ９１が挿着されることとなり、バッテリ収容部９２には、試験用バッテリ９１と試験用コネクタ８２０とが同時に収容される。そして、この状態において、試験用バッテリ９１は、実装用端子９に接続されて平面部７３ａに実装された試験用コネクタ８２０により位置決め保持される。
【００５８】
図１１に示すように、図１０に示す試験用コネクタ８２０が実装用端子９に実装されると共に試験用バッテリ９１がバッテリ収容部９２に収容された状態で、開口９２ａを覆うようにバッテリリッド２５ａが装着される。バッテリリッド２５ａは、通常使用時に用いられるバッテリリッド２５にフラットケーブル８３０の挿通部（切り欠き等）を形成したものである。つまり、試験用コネクタ８２０が実装用端子９（平面部７３a）に実装された状態で、バッテリカバーとしてのバッテリリッド２５ａを装着することができる。このバッテリリッド２５ａを装着した状態において、フラットケーブル８３０は、挿通部に挿通されて操作部側筐体２の外側に延出する。これにより、通常の使用状態に近似した状態で、ソフトウェアのデバッグとハードウェアの動作確認を行なうことができる。
【００５９】
本実施形態において、回路基板７０をバッテリ収容部９２の底部を構成するように配置すると共に、該底部を構成する部分に試験用コネクタ８２０を実装するための実装用端子９を配設することで、部品点数を増やすことなく、評価試験と通常使用とが可能な電気機器としての携帯電話機１を提供することができる。
【００６０】
また、本実施形態において、バッテリ収容部９２の底面部を回路基板７０の一部である平面部７３ａで構成すると共に、該平面部７３ａに試験用コネクタ８２０を装着可能な実装用端子９が配設されるので、評価試験時には試験用コネクタ８２０を実装用端子９に取りつけて評価試験を行うことができると共に、通常時（試験以外のとき）には試験用コネクタ８２０を実装用端子９から取り外して通常のバッテリ９０を収容することができる。これにより、使用状態と近似した状態において評価試験をすることができる。また、試験用コネクタ８２０を操作部側筐体２に内蔵しないので携帯電話機１を小型化できる。また、携帯電話機１を組み立てた後でも、解体等をすることなく評価試験をすることができる。また、通常時にはバッテリ９０に覆われる位置に実装用端子９を形成しているので、実装用端子９が他の部品と干渉することがない。また、デバック時に試験用バッテリ９１からの電力を使用することができる。
【００６１】
また、本実施形態において、通常はバッテリ９０があるために部品等を実装しない部分に実装用端子９を形成したので、効率的な実装構造により携帯電話機１を小型化できる。
【００６２】
また、本実施形態において、試験用バッテリ９１を収容した状態で装着されるバッテリリッド２５ａに試験用コネクタ８２０につながるフラットケーブル８３０を挿通させる挿通部を形成している。更に、実装用端子９は平面部７３ａにおける側面９３ａ側に形成されると共に、挿通部はバッテリリッド２５ａにおける側面９３ａ側に形成される。これにより、フラットケーブル８３０を操作部側筐体２から容易に延出させることができ、使用状態により近似した状態で動作試験等をすることができる。
【図面の簡単な説明】
【００６３】
【図１】携帯端末装置としての携帯電話機１を開いた状態（第１開状態）における正面図を示す。
【図２】（Ａ）携帯電話機１を開いた状態における左側面図を示し、（Ｂ）携帯電話機１を開いた状態における右側面図を示す。
【図３】携帯電話機１を開いた状態における背面図を示す。
【図４】携帯電話機１の表示部側筐体３を、連結部４の回動軸Ｙを中心にして所定角度回動した状態の斜視図を示す。
【図５】操作部側筐体２の分解斜視図を示す。
【図６】回路基板７０が露出された状態におけるバッテリ収容部９２の拡大平面図を示す。
【図７】回路基板７０に第１シール８００が貼付された状態におけるバッテリ収容部９２の拡大平面図を示す。
【図８】第１シール８００の上に更に第２シールが貼付された状態におけるバッテリ収容部９２の拡大平面図を示す。
【図９】バッテリ９０が収容された状態におけるバッテリ収容部９２の拡大平面図を示す。
【図１０】試験用バッテリ９１が収容されると共に、試験用コネクタ８２０が実装された状態におけるバッテリ収容部９２の拡大平面図を示す。
【図１１】図１０における携帯電話機１にバッテリリッド２５ａが装着された状態の拡大平面図を示す。
【符号の説明】
【００６４】
１      携帯電話機
２      操作部側筐体
３      表示部側筐体
４      連結部
９      実装用端子
２５    バッテリリッド
２５ａ  バッテリリッド
７０    回路基板
７３    第２平面
７３ａ  平面部
９０    バッテリ
９１    試験用バッテリ
９２    バッテリ収容部
８２０  試験用コネクタ
【図１】
2008182599.tif 000003
【図２】
2008182599.tif 000004
【図３】
2008182599.tif 000005
【図４】
2008182599.tif 000006
【図５】
2008182599.tif 000007
【図６】
2008182599.tif 000008
【図７】
2008182599.tif 000009
【図８】
2008182599.tif 000010
【図９】
2008182599.tif 000011
【図１０】
2008182599.tif 000012
【図１１】
2008182599.tif 000013